(57)【特許請求の範囲】
【請求項１】
内視鏡の挿入部に装着して内視鏡を保持する内視鏡保持装置において、
把持部を有した装置本体と、
この装置本体に形成され、上記内視鏡の挿入部を該挿入部の軸方向へ移動自在に挿通可能な挿通管路と、
上記装置本体に上記挿通管路内で移動自在に設けられ、上記挿通管路に挿通した上記挿入部の外周面に当接可能な固定部材と、
上記挿通管路に挿通した上記挿入部の外周面に上記固定部材を当て上記挿入部を上記装置本体に保持固定する操作手段と、
上記装置本体に設けられ、上記内視鏡から導出するケーブル類の少なくとも一つを保持する収容部と、
を具備した内視鏡保持装置。
【請求項２】
請求項１における内視鏡保持装置において、上記内視鏡の挿入部を上記挿通管路に挿入するとき、上記挿通管路内における挿入部挿通領域から上記固定部材を退避させる操作手段を設けたことを特徴とする内視鏡保持装置。
【発明の詳細な説明】
【０００１】
【発明の属する技術分野】
本発明は、内視鏡の挿入部に装着して内視鏡を保持する内視鏡保持装置に関する。
【０００２】
【従来の技術】
実開平４−１３１２０１号公報には光学視管の挿入部基端に把持部材としてのアダプタを固定的に装着するようにした内視鏡が提案されている。
【０００３】
【発明が解決しようとする課題】
しかし、内視鏡の挿入部の長さは様々であり、実開平４−１３１２０１号公報でのアダプタを使用する場合、例えば、挿入部の長い内視鏡を中程度の長さの挿入部長で使用するときと、極短い挿入部長で使用するときとではアダプタを代えて使用しなければならなかった。従って、様々な長さのアダプタを用意する必要があった。
【０００４】
一方、内視鏡には、照明光を供給するライトガイドケーブル、内視鏡にＴＶカメラを接続した時のＴＶカメラケーブルや、内視鏡先端カバーガラスの曇りを防止するための送気送水チューブ等が接続されるが、このようなケーブル類は内視鏡からばらばらに延出するため、内視鏡の操作性を悪くしていた。
【０００５】
本発明は上記課題に着目してなされたものであり、その第１の目的とするところは、挿入部の長さが異なる様々な内視鏡を、使用する目的に合わせて任意の挿入部長に調整して使用可能とし、内視鏡を使用し易いようにした内視鏡保持装置を提供することにある。
【０００６】
第２の目的は、第１の目的に加えて、内視鏡を使用する際においてケーブル類が内視鏡に接続してあってもそのケーブル類が内視鏡操作の妨げとならないようにした内視鏡保持装置を提供することにある。
【０００７】
【課題を解決するための手段】
請求項１に係る発明は、内視鏡の挿入部に装着して内視鏡を保持する内視鏡保持装置において、把持部を有した装置本体と、この装置本体に形成され、上記内視鏡の挿入部を該挿入部の軸方向へ移動自在に挿通可能な挿通管路と、上記装置本体に上記挿通管路内で移動自在に設けられ、上記挿通管路に挿通した上記挿入部の外周面に当接可能な固定部材と、上記挿通管路に挿通した上記挿入部の外周面に上記固定部材を当て上記挿入部を上記装置本体に保持固定する操作手段と、上記装置本体に設けられ、上記内視鏡から導出するケーブル類の少なくとも一つを保持する収容部と、を具備した内視鏡保持装置である。
【０００８】
請求項２に係る発明は、請求項１における内視鏡保持装置において、上記内視鏡の挿入部を上記挿通管路に挿入するとき、上記挿通管路内における挿入部挿通領域から上記固定部材を退避させる操作手段を設けたことを特徴とする。
【００１１】
【発明の実施の形態】
［第１の実施形態］
図１乃至図３を参照して本発明の第１の実施形態に係る内視鏡保持装置について説明する。
【００１２】
（構成）
図１は内視鏡保持装置を示す縦断面図、図２は硬性内視鏡の挿入部に内視鏡保持装置を装着した際の側面図、図３は内視鏡保持装置を軟性内視鏡の挿入部に装着した際の側面図である。
【００１３】
図１で示すように内視鏡保持装置１は内視鏡の挿入部を挿通する挿通管路２を形成した装置本体３を有してなり、装置本体３には下方へ突き出すハンドル用把持部４が設けられている。挿通管路２の内部にはその長軸方向に平行して置かれた挿入部固定板５が設けられている。挿入部固定板５は挿通管路２内に設置され、挿通管路２の長軸方向に交差する向き、ここでは直交する向きに移動自在である。挿入部固定板５の背面（下面）には把持部４の内部に設置された例えばバネやゴム等の弾性部材で形成された弾性体６が接触している。弾性体６は挿入部固定板５を挿通管路２に挿通した内視鏡の挿入部に押し当てる付勢手段を構成する。そして、挿入部固定板５を付勢することにより挿通管路２の内面と挿入部固定板５の間で挿通管路２に挿入された内視鏡の挿入部を挟み込んで内視鏡の挿入部に装置本体３を固定的に保持する。
【００１４】
挿入部固定板５は装置本体３に設けられた操作体７によって挿通管路２から後退する向きに操作可能である。つまり、上記挿通管路２に挿入しようとする上記内視鏡の挿入部の挿入を邪魔しない位置に上記挿入部固定板５を退避させる操作手段が構成されている。図２及び図３で示す如く、操作体７は把持部４を避け、その把持部４を把持する手の指で操作可能な部位に配置されている。
【００１５】
内視鏡保持装置１は種々の形式の内視鏡に適用できるが、ここでは図２で示す硬性鏡１０と図３で示す軟性鏡２０を例に挙げる。
【００１６】
図２で示す硬性鏡１０は硬性の挿入部１１とアイピース部１２を有し、アイピース部１２には図示しないライトガイドケーブルが接続可能なライトガイドポスト部１３が設けられている。アイピース部１２には図示しないＴＶカメラヘッドが接続可能となっている。
【００１７】
図３で示す軟性鏡２０は軟質部材からなる挿入部２１と手元操作部２２を有し、手元操作部２２にはアングルノブ２３と接眼部２４が設けられ、さらに手元操作部２２には図示しないライトガイドケーブルが接続可能なライトガイドポスト部２５が設けられている。接眼部２４には図示しないＴＶカメラヘッドが接続可能となっている。
【００１８】
（作用）
硬性鏡１０の挿入部１１若しくは軟性鏡２０の挿入部２１を内視鏡保持装置１の挿通管路２に挿入する場合、操作体７を図２及び図３で示すところの下方側へ移動させる。これにより、操作体７と連結されている挿入部固定板５は挿通管路２における下方側部位、すなわち弾性体６を押し潰す向きに動き、挿通管路２から退避し、挿通管路２を開放する。
【００１９】
硬性鏡１０の挿入部１１若しくは軟性鏡２０の挿入部２１を挿通管路２に挿入した後、押し下げていた操作体７を解放する。すると、弾性体６によって加圧されている挿入部固定板５が押し上げられ、挿入部固定板５を挿入部１１，２１に押し付けることにより、挿通管路２の内面と挿入部固定板５との間に挿入部１１，２１を挟み込み、挿入部１１，２１の中間部位に内視鏡保持装置１を固定する。このような作用で内視鏡保持装置１が内視鏡の挿入部途中に保持固定される。つまり、硬性鏡１０の挿入部１１あるいは軟性鏡２０の挿入部２１の任意の位置で、内視鏡保持装置１を固定可能となる。
【００２０】
（効果）
例えば、耳鼻科で使用される内視鏡としては、一般に鼻腔鏡が知られている。鼻腔鏡には、図２で示すような硬性鼻腔鏡や、図３で示すような軟性鼻腔鏡が知られているが、それらの内視鏡を鼓膜観察に使用する際、鼻腔鏡の挿入部長が長すぎるため、内視鏡の操作が難しくなる。
【００２１】
そこで、第１実施形態で示す内視鏡保持装置１を用いれば、実質的な挿入部長が自由に設定することができる。また、内視鏡をバランス良く保持することが可能となり、内視鏡の操作性を向上させることができる。
【００２２】
［第２の実施形態］
図４に基づいて本発明の第２の実施形態を説明する。ただし、第１の実施形態と同一の構成は同一の符号を付し、その詳細な説明は省略する。
【００２３】
（構成）
硬性鏡１０には照明光を伝達するライトガイドケーブル１６と、アイピース部１２に装着されるＴＶカメラヘッド１７に接続されているＴＶカメラケーブル１８が接続されている。また、第１実施形態の内視鏡保持装置１に加えて、その把持部４にはライトガイドケーブル１６とＴＶカメラケーブル１８が挿通して収納可能なケーブル収納部１９が設けられている。
【００２４】
（作用）
第１実施形態に加え、硬性鏡１０の挿入部１１に内視鏡保持装置１を装着した際、ライトガイドケーブル１６とＴＶカメラケーブル１８はケーブル収納部１９を通り、それぞれ図示しない光源装置とＴＶカメラ本体に延出させられる。
【００２５】
（効果）
硬性鏡１０で観察する際、硬性鏡１０に接続されたライトガイドケーブル１６やＴＶカメラケーブル１８は、意図しない硬性鏡１０の回転や、取扱の煩わしさを生じさせる。特に、耳鼻科のような狭い診察室に置いて、内視鏡に多数のケーブルが接続されていると、内視鏡を操作しづらいだけでなく、ケーブル類が診察室に置かれた様々な装置に引っ掛かり、内視鏡操作を煩わしくさせることがあった。
【００２６】
上記内視鏡に流体を送気・送水ないし吸引する流体伝達チューブもケーブル収納部１９に通し、ケーブル類をまとめることができる。すなわち内視鏡に関係するケーブル類をまとめてから延出させることができる。また、ケーブル類の少なくともどれか一つを上記ケーブル収納部１９に通して保持するようにしてもよい。
【００２７】
本実施形態のものによれば、ケーブル類を束ねることが可能となるため、このようなケーブル類によって生じていた操作性を損なうという問題を解決することができる。一本の内視鏡で多目的な内視鏡の使用を可能とするばかりでなく、ケーブル類による内視鏡の操作を向上させる効果がある。
【００２８】
尚、本実施形態の内視鏡保持装置１の形態は軟性鏡２０に使用する場合にも同様に採用できる。
【００２９】
［第３の実施形態］
図５に基づいて本発明の第３の実施形態を説明する。ただし、第１の実施形態と同一の構成は同一の符号を付し、その詳細な説明は省略する。
【００３０】
（構成）
第１実施形態の内視鏡保持装置１に加えて、把持部４にはガイド用スリット３１を有した支持アーム部３２が後方へ突き出して設けられており、支持アーム部３２によって光源装置部３３が支持されている。
【００３１】
光源装置部３３はケース３４の内部に電源部３５とランプ３６を設けて構成されている。電源部３５とランプ３６は電気的に接続されている。ケース３４の上端部には硬性鏡１０のライトガイドポスト部１３を接続するコネクタ部３７が設けられている。ケース３４の上端部には支持アーム部３２のスリット３１に係合する係合部３８が設けられ、光源装置部３３はスリット３１にガイドされて硬性鏡１０の挿入部１１に平行な向きに移動自在である。
【００３２】
また、硬性鏡１０を内視鏡保持装置１に接続した際、光源装置部３３のコネクタ部３７には硬性鏡１０のライトガイドポスト部１３が接続可能であり、この接続時にランプ３６とライトガイドポスト部１３内の図示しないライトガイドファイバーとが光学的に連結する。
【００３３】
（作用）
第１実施形態の作用に加え、把持部４には光源装置部３３が装着され、光源装置部３３のコネクタ部３７には硬性鏡１０のライトガイドポスト部１３が接続される。接続光源装置部３３はスリット３１に沿って硬性鏡１０の挿入部１１の軸方向へ移動自在である。また、電源部３５から供給された電流によりランプ部３６は照明光を出射し、出射された照明光は硬性鏡１０内の図示しないライトガイドファイバーを経て観察対象物に照射される。
【００３４】
（効果）
本実施形態によれば、第１実施形態の効果に加えて、硬性鏡１０に使用する際に別の光源装置を用意する必要がないだけでなく、ライトガイドケーブルを使用しないので、ケーブル類による操作性の悪化が防止出来る。
【００３５】
尚、本実施形態の内視鏡保持装置１の形態は軟性鏡２０に使用する場合にも同様に採用できる。
【００３６】
［第４の実施形態］
図６に基づいて本発明の第４の実施形態を説明する。ただし、第１ないし第３の実施形態と同一の構成は同一の符号を付し、その詳細な説明は省略する。
【００３７】
（構成）
本実施形態に係る内視鏡保持装置１の把持部４内には光源装置部４０が設置されており、光源装置部４０には可撓性のライトガイドファイバーケーブル４１が接続されている。光源装置部４０は電源部４２とランプ４３を有し、電源部４２とランプ４３は電気的に接続されている。
【００３８】
（作用）
第１実施形態の作用に加え、ランプ４３から出射された照明光は、ライトガイドファイバーケーブル４１内の図示しないライトガイドファイバーによって硬性鏡１０に伝達され、硬性鏡１０の観察対象物に照射される。
【００３９】
（効果）
第３実施形態の効果に加え、次のような効果が得られる。硬性鏡１０と内視鏡保持装置１とが柔軟なライトガイドケーブル４１で接続されているため、硬性鏡１０と内視鏡保持装置１との位置調整が容易に行える。
【００４０】
尚、本実施形態の内視鏡保持装置１の形態は軟性鏡２０に使用する場合にも同様に採用できる。
【００４１】
［第５の実施形態］
図７に基づいて本発明の第５の実施形態を説明する。ただし、第１乃至第４の実施形態と同一の構成は同一の符号を付し、その詳細な説明は省略する。
【００４２】
（構成）
本実施形態に係る内視鏡保持装置１の把持部４内には電源装置部５０が設置されている。電源装置部５０は電源部５１とランプ５２を有しており、電源部５１とランプ５２は電気的に接続されている。ランプ５２の出射方向から内視鏡保持装置１の装置本体３の先端にかけてライトガイドファイバー５３が設けられており、ランプ５２から出射されて光が内視鏡保持装置１の先端から前方へ向けて出射可能となっている。ライトガイドファイバー５３の先端は挿通管路２に挿入された硬性鏡１０の挿入部１１の周囲に位置するように配置されている。
【００４３】
（作用）
硬性鏡１０の挿入部１１は、挿入部固定板５によって、内視鏡保持装置１に固定される。そして、ランプ５２から出射された照明光はライトガイドファイバー５３を経て内視鏡保持装置１の先端から出射され、観察対象物に向けて出射する。
【００４４】
（効果）
第３実施形態や第４実施形態では硬性鏡１０自体に照明光を供給する光学系が内蔵されているため、内視鏡保持装置１が硬性鏡１０に対して移動自在であるものの、その移動可能な距離には限界があった。
【００４５】
本実施形態の照明手段によれば、硬性鏡１０でなくても、また、例えば有効長の長い軟性鏡２０であっても問題がなく、挿入部有効長を可変にして内視鏡観察を可能にすることが可能となる。特に軟性鏡２０を鼓膜観察に用いる際には有効である。
【００４６】
尚、本実施形態の内視鏡保持装置１の形態は軟性鏡２０に使用する場合にも同様に採用できる。
【００４７】
［第６の実施形態］
図８及び図９に基づいて本発明の第６の実施形態を説明する。ただし、第１ないし第５の実施形態と同一の構成は同一の符号を付し、その詳細な説明は省略する。
【００４８】
（構成）
本実施形態は、第１実施形態の内視鏡保持装置１に加えて、その装置本体３の前端部に内視鏡の挿入部を挿通する挿通管路２と同軸的に回転可能なものとした回転板６１を設け、回転板６１には内視鏡の挿入部１１を挿通するシース状の内視鏡誘導部６２とアーム６３とが連結されており、アーム６３は内視鏡誘導部６２の外面に添接してそれと平行に配置されている。内視鏡誘導部６２とアーム６３は回転板６１に支持され、硬性鏡１０の長軸に対して回転可能になっている。
【００４９】
アーム６３の先端側部分にはピン６５で接続され、ピン６５を軸として可動な起上部材としての起上台６７が設けられている。起上台６７の先端側部分にはワイヤ６８が接続され、ワイヤ６８の基端側は内視鏡保持装置１の把持部４に設けられた起上台レバー６９に接続されている。起上台レバー６９を操作することによりワイヤ６８を牽引し、起上台６７を起上操作するようになっている。
【００５０】
また、起上台６７にはライトガイドファイバー７１を内蔵した可撓性のライトガイドケーブル７２の先端が接続されており、ライトガイドファイバー７１の先端は起上台６７の前面に面一になるように設置されている。起上台６７の前面には鏡面部（ミラー）７０が設けられている。
【００５１】
上記ライトガイドケーブル７２の基端側部分はアーム６３の内部を経由して装置本体３の内部に設置されている図示しない光源装置に接続されている。
【００５２】
（作用）
図８は硬性鏡１０に本実施形態の内視鏡保持装置１を接続した状態であり、回転板６１を回転させると、回転板６１に接続されている内視鏡誘導部６２とアーム６３とが一体に回転する。また、回転板６１の回転に伴って起上台６７に設置されている鏡面部７０とライトガイドファイバー７１とが硬性鏡１０の軸を中心にして全体的に回転する。
【００５３】
一方、起上台レバー６９を操作することで、ワイヤ６８を牽引すると、起上台６７がピン６５を軸にして起上する。
【００５４】
また、図示しない光源装置部から出射された出射光はアーム６３内のライトガイドファイバー７１を介して起上台６７の起上台面側に位置する端面から内視鏡による観察対象物に向けて照射される。
【００５５】
一方、観察対象物の像は鏡面部７０を介して硬性鏡１０の先端に伝わり、観察者による観察を可能とする。
【００５６】
（効果）
本実施形態の内視鏡保持装置１を使用すると、前述した実施形態の効果に加え、観察対象物を起上台６７の鏡面部７０を介して視野方向が異なる様々な観察を行うことが可能となる。このことにより視野方向が内視鏡の長軸に対して平行な、いわゆる視野方向が零度の内視鏡であっても、本内視鏡保持装置１を用いることで内視鏡の長軸に対して角度を持った対象物であっても観察可能になる。
【００５７】
また、鏡面部７０が内視鏡に対して回転可能であり、かつ長軸方向に対して角度自在に可動であるため、内視鏡先端側を中心に全方向の観察が可能となり、一本の内視鏡で多目的な内視鏡の使用を可能とさせる効果がある。
【００５８】
例えば、耳鼻咽喉科では、鼻内の観察に鼻腔鏡を使用し、咽頭部及びに口頭部を観察する際には、それぞれ専用の後鼻内視鏡や咽頭内視鏡を使用している。後鼻内視鏡は、内視鏡の長軸方向に対して上方側視であり、咽頭内視鏡では長軸に対して下方斜視であった。この様な状況に対して、直視方向の鼻腔鏡と本実施形態の内視鏡保持装置１を採用すれば、一本の直視方向の鼻腔鏡で後鼻鏡としても、咽頭内視鏡としても使用することが可能になる。さらに本実施形態の内視鏡保持装置１では起上台６７に照明光供給手段を有しているため、内視鏡にライトガイドケーブルといったケーブル類を接続しなくて済み、ケーブル類による操作性の悪化の心配がない。
【００５９】
尚、本実施形態の内視鏡保持装置１の形態は軟性鏡２０に使用する場合にも同様に採用できる。
【００６０】
本発明は前述した各実施形態のものに限定されない。また、上記各実施形態の説明によれば少なくとも以下に列記する事項及びその任意のものを組み合わせた事項のものが得られる。
【００６１】
＜付記＞
１．内視鏡に接続して内視鏡の視野方向を可変にする視野可変手段を有した内視鏡視野可変装置において、視野可変部が例えば反射鏡のような光学素子から構成され、内視鏡基端側に設けられた操作部の検索操作により視野可変部が上記内視鏡の長軸方向に移動可能な、あるいは上記内視鏡の長軸を中心に回転可能な、あるいは上記内視鏡の長軸方向に角度自在に起上可能に設けられたことを特徴とする内視鏡視野可変装置。
【００６２】
２．第５項における内視鏡視野可変装置において、上記視野可変手段に照明光供給手段を設けたことを特徴とする内視鏡視野可変装置。
【００６３】
（付記項に対する従来技術）
特開平７−１３０８７号公報の内視鏡視野可変装置や特開平１１−９９１２０号公報の内視鏡では観察視野方向を内視鏡の長軸に対して自由な方向に変えることが出来ないといった問題があった。
【００６４】
付記項の目的は、内視鏡に取り付けるだけで、本来、内視鏡が持っていた視野方向とは異なる任意の視野方向を自在に観察可能とさせる内視鏡保持部材あるいは視野方向可変装置の提供である。
【００６５】
【発明の効果】
以上説明したように本発明によれば、挿入部の長さが異なる様々な内視鏡を、使用する目的に合わせて任意の挿入部長に調整して使用可能とし、さらに内視鏡を保持し易いようにすることができる。つまり、挿入部の長さが異なる様々な内視鏡を使用する目的に合わせた最適な挿入部長にして内視鏡を使用可能であり、しかも内視鏡を安定した状態で使用することが可能となる。
【００６６】
さらに内視鏡を使用する際において、ライトガイドケーブル、ＴＶカメラケーブルや送気送水チューブ等のケーブル類が内視鏡に接続してあってもケーブル類が内視鏡操作の妨げとならない。例えばケーブル類の自重やケーブル類を意図せずに引っ張られること等により、内視鏡が意図せずに動いてしまったり、内視鏡の重量を増加させてしまったり、内視鏡の操作性を悪化させてしまうといった問題を解決し、内視鏡を安定した状態で容易に使用することが可能となる。
【図面の簡単な説明】
【図１】本発明の第１実施形態に係る内視鏡保持装置の縦断面図。
【図２】上記内視鏡保持装置を、挿入部が硬質部材からなる硬性内視鏡と組合せた際の外観図。
【図３】上記内視鏡保持装置を、挿入部が軟質部材からなる軟性内視鏡と組合せた際の外観図。
【図４】本発明の第２実施形態に係る内視鏡保持装置を、挿入部が硬質部材からなる硬性内視鏡に組合せた際の外観図。
【図５】本発明の第３実施形態に係る内視鏡保持装置を、挿入部が硬質部材からなる硬性内視鏡に組合せた際の外観図。
【図６】本発明の第４実施形態に係る内視鏡保持装置を、挿入部が硬質部材からなる硬性内視鏡に組合せた際の外観図。
【図７】本発明の第５実施形態に係る内視鏡保持装置を、挿入部が硬質部材からなる硬性内視鏡に組合せた際の外観図。
【図８】本発明の第６実施形態に係る内視鏡保持装置を、挿入部が硬質部材からなる硬性内視鏡に組合せた際の外観図。
【図９】上記内視鏡保持装置の先端部を拡大して示す説明図。
【符号の説明】
１…内視鏡保持装置、２…挿通管路、３…装置本体、
４…ハンドル用把持部、５…挿入部固定板、６…弾性体、
７…操作体、１０…硬性鏡、２０…軟性鏡。
【図１】
0004450912.tif 000002
【図２】
0004450912.tif 000003
【図３】
0004450912.tif 000004
【図４】
0004450912.tif 000005
【図５】
0004450912.tif 000006
【図６】
0004450912.tif 000007
【図７】
0004450912.tif 000008
【図８】
0004450912.tif 000009
【図９】
0004450912.tif 000010